(57)【要約】【課題】発光モジュール装置において、複数の発光モジュールを個別に制御し、かつ、配線を減らして製造コストを低減する。【解決手段】発光モジュール装置１は、発光モジュール２に給電する電力線３と、制御信号を生成する信号生成部４３とを備える。電力線３は、複数の発光モジュール２に共有され、各発光モジュール２への通電を開閉するスイッチ３１、３２を有する。信号生成部４３は、スイッチ３１、３２を個別に開閉制御し、その開閉制御には、発光モジュール２を発光させる発光期間と、送信すべき制御信号が有るときには供給電力に制御信号を重畳すると共に、発光モジュール２を消光させる消光期間とが有る。各発光モジュール２への供給電力に制御信号が重畳されるので、発光モジュール２を個別に制御することができる。また、電力線３を通信線に兼用することができ、また、電力線３は複数の発光モジュール２に共有されるので、配線を減らすことができる。【選択図】図１
2011071310.tif 000002
【特許請求の範囲】
【請求項１】
複数の発光モジュールと、前記発光モジュールにその発光に必要な電力を供給する電力線と、を備えた発光モジュール装置において、
前記発光モジュールの設定を行うための制御信号を生成する信号生成部を備え、
前記電力線は、前記複数の発光モジュールに共有され、各発光モジュールへの通電を開閉するスイッチを有し、
前記信号生成部は、前記スイッチを個別に開閉制御する信号を生成し、その開閉制御には、前記スイッチを閉じて前記発光モジュールを発光させる発光期間と、送信すべき制御信号が有るときには前記スイッチを開閉することにより供給電力に制御信号を重畳すると共に、前記発光モジュールを消光させる消光期間とが有り、
前記発光モジュールの各々は、供給電力に重畳された制御信号を読み取り、その読み取った制御信号に基づいて発光モジュールを点灯制御する制御部を有したことを特徴とする発光モジュール装置。
【請求項２】
前記信号生成部によるスイッチの開閉制御には、前記消光期間の替わりとして、送信すべき制御信号が有るときには前記スイッチを開閉することにより供給電力に制御信号を重畳すると共に、前記発光モジュールを発光させる通信期間が有ることを特徴とする請求項１に記載の発光モジュール装置。
【請求項３】
前記発光モジュールの制御部は、電力供給が所定期間以上遮断されると、設定がリセットされる構成を有し、
前記通信期間は、前記制御部の設定がリセットされ、電力供給が再開された後の所定期間であることを特徴とする請求項２に記載の発光モジュール装置。
【請求項４】
前記発光モジュールは、アレイ状又はマトリクス状に配列されており、
前記電力線は、前記発光モジュールの各列毎に共有される列電力線と、前記発光モジュールの各行毎に共有される行電力線と、により構成され、
前記スイッチは、前記列電力線及び行電力線の各々に設けられ、
前記信号生成部は、制御対象の発光モジュールの列と行のそれぞれの前記スイッチを開閉し、該発光モジュールへの供給電力に制御信号を重畳することを特徴とする請求項１乃至請求項３のいずれか一項に記載の発光モジュール装置。
【発明の詳細な説明】
【技術分野】
【０００１】
本発明は、複数の発光モジュールを備え、それらを個別に制御する発光モジュール装置に関する。
【背景技術】
【０００２】
この種の従来の発光モジュール装置の構成を図６に示す。この発光モジュール装置１００においては、発光モジュール１０１がマトリクス状に配列され、モジュールの隣同士は電力伝送用の接点１０２により接続され、端の一列には電力線１０３の終端装置１０４が取り付けられている。各発光モジュール１０１は発光量を調整する制御装置（図示せず）を有する。終端装置１０４が発光モジュール１０１に給電すると、電力が順次、発光モジュール１０１に伝送され、これにより、全ての発光モジュール１０１に電力が供給される（例えば、特許文献１参照）。発光モジュール装置１００においては、上記制御装置により発光モジュール１０１毎に発光量制御を行うことができる。しかしながら、上記制御装置は発光モジュール１０１毎に設けられているので、製造コストが高くなる虞がある。
【０００３】
そこで、この問題を解決するように構成された発光モジュール装置を図７に示す。この発光モジュール装置２００は、複数の発光モジュール２０１の各々の発光量を一括制御するコントロールボックス２０２を有する。発光モジュール２０１は供給される電力に応じて発光量が調整される構成であり、コントロールボックス２０２からは各発光モジュール２０１に向けて給電用の電力線２０３が導出されており、コントロールボックス２０２は発光モジュール２０１毎に供給電力を制御し、発光量を制御する（例えば、特許文献２参照）。
【０００４】
しかしながら、発光モジュール装置２００においては、複数の発光モジュール２０１を個別に制御することができるが、電力線２０３がスター型に配線されており、発光モジュール２０１の数の２倍となり、配線が多いので、製造コストが増加する虞があり、製造コストの低減が望まれていた。
【先行技術文献】
【特許文献】
【０００５】
【特許文献１】特表２００７−５３６７０８号公報
【特許文献２】米国特許第７３４８７３８号明細書
【発明の概要】
【発明が解決しようとする課題】
【０００６】
本発明は、上記の従来の問題を解決するためになされたものであり、複数の発光モジュールを備えた発光モジュール装置において、発光モジュールを個別に制御することができ、かつ、配線を減らして製造コストを低減することができる発光モジュール装置を提供することを目的とする。
【課題を解決するための手段】
【０００７】
上記目的を達成するために請求項１の発明は、複数の発光モジュールと、前記発光モジュールにその発光に必要な電力を供給する電力線と、を備えた発光モジュール装置において、前記発光モジュールの設定を行うための制御信号を生成する信号生成部を備え、前記電力線は、前記複数の発光モジュールに共有され、各発光モジュールへの通電を開閉するスイッチを有し、前記信号生成部は、前記スイッチを個別に開閉制御する信号を生成し、その開閉制御には、前記スイッチを閉じて前記発光モジュールを発光させる発光期間と、送信すべき制御信号が有るときには前記スイッチを開閉することにより供給電力に制御信号を重畳すると共に、前記発光モジュールを消光させる消光期間とが有り、前記発光モジュールの各々は、供給電力に重畳された制御信号を読み取り、その読み取った制御信号に基づいて発光モジュールを点灯制御する制御部を有したものである。
【０００８】
請求項２の発明は、請求項１に記載の発光モジュール装置において、前記信号生成部によるスイッチの開閉制御には、前記消光期間の替わりとして、送信すべき制御信号が有るときには前記スイッチを開閉することにより供給電力に制御信号を重畳すると共に、前記発光モジュールを発光させる通信期間が有るものである。
【０００９】
請求項３の発明は、請求項２に記載の発光モジュール装置において、前記発光モジュールの制御部は、電力供給が所定期間以上遮断されると、設定がリセットされる構成を有し、前記通信期間は、前記制御部の設定がリセットされ、電力供給が再開された後の所定期間である。
【００１０】
請求項４の発明は、請求項１乃至請求項３のいずれか一項に記載の発光モジュール装置において、前記発光モジュールは、アレイ状又はマトリクス状に配列されており、前記電力線は、前記発光モジュールの各列毎に共有される列電力線と、前記発光モジュールの各行毎に共有される行電力線と、により構成され、前記スイッチは、前記列電力線及び行電力線の各々に設けられ、前記信号生成部は、制御対象の発光モジュールの列と行のそれぞれの前記スイッチを開閉し、該発光モジュールへの供給電力に制御信号を重畳するものである。
【発明の効果】
【００１１】
請求項１の発明によれば、電力線による各発光モジュールへの供給電力に制御信号が重畳され、各発光モジュールはその制御信号を読み取り、制御信号に応じて点灯するので、発光モジュールを個別に制御することができる。また、電力線を通信線に兼用することができ、配線を減らして製造コストを低減することができる。また、電力線は複数の発光モジュールに共有されるので、配線をさらに減らすことができる。しかも、発光モジュールへの電力供給が略無い消光期間に、制御信号が供給電力に重畳されるので、発光モジュールは制御信号を読み取り易く、従って、確実な信号通信に寄与する。
【００１２】
請求項２の発明によれば、請求項１の発明と比べ、発光モジュールが消光する期間を減らすことができ、通信による発光量低下を抑えることができる。
【００１３】
請求項３の発明によれば、発光モジュールの制御部の設定リセットを通信のスタートトリガとみなすことができ、スタートトリガ検知のために発光モジュールへの供給電力変化を検知する必要がないので、その検知回路を搭載しなくて済み、結果として、構成が簡単となる。
【００１４】
請求項４の発明によれば、必要な電力線の数は発光モジュールの列数と行数の合計で済むので、例えば、従来の発光モジュールに電力線をスター型に配線したものに比べ、電力線の数を減らすことができ、製造コストの低減を図ることができる。
【図面の簡単な説明】
【００１５】
【図１】本発明の第１の実施形態に係る発光モジュール装置の回路図。
【図２】（ａ）は上記装置の発光モジュールの分解斜視図、（ｂ）はその回路構成図。
【図３】（ａ）は上記装置の発光モジュールと列スイッチ及び行スイッチ部分の配線図、（ｂ）は上記列スイッチ及び行スイッチの動作チャート。
【図４】本発明の第２の実施形態に係る発光モジュール装置の列スイッチ及び行スイッチの動作チャート。
【図５】本発明の第３の実施形態に係る発光モジュール装置の列スイッチ及び行スイッチの動作チャート。
【図６】従来の発光モジュール装置の正面図。
【図７】上記とは別の発光モジュール装置の回路構成図。
【発明を実施するための形態】
【００１６】
（第１の実施形態）
図１は、第１の実施形態に係る発光モジュール装置の構成を示す。この発光モジュール装置１は、複数の発光モジュール２と、各発光モジュール２にその発光に必要な電力を電力線３を用いて供給するモジュール駆動回路４と、を備える。発光モジュール２は、例えば４行４列のマトリクス状に配列される。電力線３は、複数の発光モジュール２に共有される。また、電力線３は、各発光モジュール２への通電を開閉するスイッチ３１、３２を有する。モジュール駆動回路４は、スイッチ３１、３２を開閉制御することにより、発光モジュール２の設定を行うための制御信号を供給電力に重畳する。
【００１７】
電力線３は、プラス線３３とマイナス線３４とにより構成されている。プラス線３３及びマイナス線３４は、それぞれ、モジュール駆動回路４から導出され、分岐している。分岐したプラス線３３は、発光モジュール２の各列毎に共有される列電力線３３ａ〜３３ｄとなり、各列の列電力線３３ａ〜３３ｄは、その列の発光モジュール２のプラス電極とバス型に接続されている。分岐したマイナス線３４は、発光モジュール２の各行毎に共有される行電力線３４ａ〜３４ｄとなり、各行の行電力線３４ａ〜３４ｄは、その行の発光モジュール２のマイナス電極とバス型に接続されている。
【００１８】
スイッチ３１は列電力線３３ａ〜３３ｄの各々に、また、スイッチ３２は行電力線３４ａ〜３４ｄの各々に設けられている。スイッチ３１、３２は、スイッチング動作により、列電力線３３ａ〜３３ｄ、行電力線３４ａ〜３４ｄを導通又は非導通状態とし、これにより、各列、各行の発光モジュール２への電力供給とその停止とを切り換える。スイッチ３１、３２は、ＦＥＴ又はＩＧＢＴ等のスイッチング素子により構成される。ここで、列電力線３３ａ〜３３ｄの各々に設けられたスイッチ３１を列スイッチ３１ａ〜３１ｄといい、行電力線３４ａ〜３４ｄの各々に設けられたスイッチ３２を行スイッチ３２ａ〜３２ｄという。
【００１９】
モジュール駆動回路４は、スイッチ３１、３２を個別に開閉制御する制御回路４１と、外部電源から受電し、発光モジュール２及び制御回路４１に電力を適当な値に調整して供給する電力調整回路４２とを有する。制御回路４１は、スイッチ３１、３２を開閉制御する開閉信号を生成する信号生成部４３と、信号生成部４３により生成された開閉信号に基づいてスイッチ３１、３２を開閉制御するスイッチ制御部４４とを有する。信号生成部４３は上記制御信号を生成する。信号生成部４３によるスイッチ３１、３２の開閉制御には、スイッチ３１、３２を閉じて発光モジュール２を発光させる発光期間と、送信すべき制御信号が有るときにはスイッチ３１、３２を開閉することにより供給電力に制御信号を重畳すると共に、発光モジュール２を消光させる消光期間とが有る。
【００２０】
上記制御信号は、ＰＷＭ信号又はディジタルデータ信号であり、発光モジュール２の点灯／消灯、調光比、又はフェードイン／アウト動作若しくは点滅スピード等の動作パターン等を指定する情報を含む。信号生成部４３は、スイッチ制御部４４を用いてスイッチ３１、３２のスイッチング動作を制御し、電力線３への電力供給及び通信を制御する。モジュール駆動回路４は、電力供給のため、電流源として発光モジュール２に電流を供給していても、又は電圧源として電圧を印加していてもよい。
【００２１】
図２（ａ）（ｂ）は、発光モジュール２の構成を示す。発光モジュール２は、有機ＥＬパネル２１と、電力線３（図１参照）からの供給電力に応じて有機ＥＬパネル２１への供給電流を制御する電流制御部２２（制御部）と、電流制御部２２に設けられ、電力線３のプラス線３３とマイナス線３４とがそれぞれ接続されるコネクタ２３、２４と、これらを収容する略箱状のケース２５及びその蓋体２６とを有する。電流制御部２２からは有機ＥＬパネル２１に配線２２ａが延びている。電流制御部２２は、供給電力に重畳された制御信号を読み取る読取回路を有し、その読み取った制御信号に基づいて有機ＥＬパネル２１への供給電流を制御し、有機ＥＬパネル２１を点灯／調光制御する。ケース２５には、有機ＥＬパネル２１による光を放射する光放射口２５ａと、コネクタ２３、２４を露出させる孔２５ｂ、２５ｃが形成されている。
【００２２】
有機ＥＬパネル２１は、基板２１ａ上に陽極２１ｂ、発光層２１ｃ及び陰極２１ｄがこの順に積層されて成る。電流制御部２２は、有機ＥＬパネル２１への供給電流の波高値を略一定に保つ定電流回路と、その波高値が略一定とされた供給電流をＰＷＭ／ＰＦＭ制御し、有機ＥＬパネル２１の発光状態を制御するＣＰＵと、上記定電流回路及びＣＰＵが実装される基板とを有する。定電流回路は、供給電流の波高値を、有機ＥＬパネル２１が発光に必要な電流値と略等しくする。定電流回路は、シリーズレギュレータ又はスイッチングレギュレータ等を有するＤＣ−ＤＣコンバータ、若しくは定電流ダイオード等により構成することができる。ＣＰＵは、電力線３からの供給電力に重畳された制御信号を復調し、有機ＥＬパネル２１の発光状態が制御信号による指定状態となるようにＰＷＭ／ＰＦＭ制御を行う。
【００２３】
電流制御部２２のＣＰＵは、Ｃ−ＭＯＳを用いた半導体回路により構成することができる。このような半導体回路においては、電力供給が遮断されても、回路の時定数による動作遅延に起因して所定時間は回路が動作し、有機ＥＬパネル２１の設定を維持することができる。しかしながら、その所定時間が経過すると、回路は動作を停止し、有機ＥＬパネル２１の設定がリセットされ、デフォルトとなる。そこで、電流制御部２２には、電力供給遮断後のＣＰＵの動作期間を延ばすためのコンデンサが設けられている。なお、電流制御部２２には、有機ＥＬパネル２１の設定を格納するメモリが設けられていてもよい。この場合、ＣＰＵはリセットされたとしても、そのメモリから設定を読み出し、その設定を有機ＥＬパネル２１に反映させる。
【００２４】
次に、信号生成部４３による列スイッチ３１ａ〜３１ｄ及び行スイッチ３２ａ〜３２ｄの開閉制御について図３（ａ）（ｂ）を参照して説明する。ここで、図３（ａ）の１列目で１行目の発光モジュール２（以下、発光モジュール２Ａという）を制御対象、すなわち、制御信号の送信対象とする。
【００２５】
図３（ｂ）に示されるように、列スイッチ３１ａ〜３１ｄ及び行スイッチ３２ａ〜３２ｄの開閉制御においては、発光モジュール２Ａを含む全ての発光モジュール２に対して、その発光に必要な電力を供給する発光期間Ｔ１と、消光させる消光期間Ｔ２とが有る。消光期間Ｔ２に制御信号が供給電力に重畳される。各発光モジュール２の発光期間Ｔ１と消光期間Ｔ２とは、他の発光モジュール２との間で、開始及び終了タイミングが略同じであるが、それらは、発光モジュール２毎に異なっていてもよい。発光期間Ｔ１と消光期間Ｔ２とは信号生成部４３に予め設定されている。
【００２６】
発光期間Ｔ１においては、各発光モジュール２の列スイッチ３１ａ〜３１ｄ及び行スイッチ３２ａ〜３２ｄが閉状態となり、電力が供給され、各発光モジュール２は発光する。発光期間Ｔ１に制御信号が電力に重畳されることはない。
【００２７】
消光期間Ｔ２においては、その開始時に、列スイッチ３１ａ〜３１ｄ及び行スイッチ３２ａ〜３２ｄが開状態となり、電力供給が停止する。発光モジュール２Ａを除く各発光モジュール２には、送信すべき制御信号がないので、それら発光モジュール２の列スイッチ３１ｂ〜３１ｄ及び行スイッチ３２ｂ〜３２ｄは開状態を維持し、電力供給は停止し、発光モジュール２は消光状態となる。
【００２８】
発光モジュール２Ａには、送信すべき制御信号があるので、発光モジュール２Ａの列スイッチ３１ａ及び行スイッチ３２ａは制御信号に応じて開閉され、これにより、発光モジュール２Ａへの電力供給が導通、停止して、供給電力に制御信号が重畳される。列スイッチ３１ａ及び行スイッチ３２ａは、消光期間Ｔ２が始まると、開状態になって電力供給を停止させ、その後、それらは略同時に閉状態となる。制御信号を供給電力に重畳する間、それらの一方は閉状態を維持し、他方が制御信号に応じてスイッチング動作する。これにより、供給電力が変調される。
【００２９】
上記図３（ａ）（ｂ）においては、発光モジュール２Ａのみに制御信号を送信する例を示したが、他の発光モジュール２にも制御信号が送信される。その送信方法は発光モジュール２Ａに対する方法と同様である。発光期間Ｔ１と消光期間Ｔ２とは交互に時間的に連続して繰り返される。消光期間Ｔ２の周期及び発光期間Ｔ１と消光期間Ｔ２の比率は、消光期間Ｔ２に起因する光出力変化を人が視認できないように設定されており、消光期間Ｔ２の周期は、数百ヘルツ以上、例えば略１５０［Ｈｚ］以上であることが望ましい。消光期間Ｔ２の周波数は例えば２００［Ｈｚ］、消光期間Ｔ２と発光期間Ｔ１の割合は例えば１：９に設定され、消光期間Ｔ２は５００［μｓ］程度とされる。この場合、制御信号として１０［ｋＨｚ］のＰＷＭ信号（周期１００［μｓ］）を用いて通信することができる。
【００３０】
制御信号の送信は、消光期間Ｔ２毎に、１消光期間Ｔ２内につき、１個の発光モジュールに対してなされる。また、制御信号は、発光モジュール２の配列順に、例えば、１行目から４行目まで、各行毎に１列目から４列目の順に順次、送信される。制御信号の送信方式は、上記に限定されず、制御信号は１消光期間Ｔ２内に複数個の発光モジュール２に送信されてもよいし、消光期間Ｔ２毎に送信されず、必要に応じて送信されてもよいし、発光モジュール２の配列順ではなく、ランダムに送信されても構わない。また、同一列又は同一行の複数個の発光モジュール２に対して略同時に制御信号が送信されてもよい。
【００３１】
発光モジュール２Ａを含む各発光モジュール２の電流制御部２２は、発光期間Ｔ１終了後に電力供給が停止することで、消光期間Ｔ２の開始を検知する。そして、電流制御部２は、消光期間Ｔ２内に生じる電力供給再開とその停止とを制御信号として検知し、制御対象であることを認識する。電流制御部２は制御信号の内容を次の発光期間Ｔ１以降に反映する。各発光モジュール２の電流制御部２２に設けられる上述のコンデンサの静電容量は、電力供給停止後の電流制御部２２の動作期間が消光期間Ｔ２よりも長くなるように構成されており、消光期間Ｔ２中に有機ＥＬパネル２１の設定がデフォルトとなることを防止する。
【００３２】
上記のように構成された本実施形態の発光モジュール装置１においては、電力線３による各発光モジュール２への供給電力に制御信号が重畳され、各発光モジュール２はその制御信号を読み取り、制御信号に応じて点灯するので、発光モジュール２を個別に制御することができる。また、電力線３を、制御信号を送信するための通信線に兼用することができ、配線を減らすことができ、従って、製造コストを低減することができる。また、電力線３は複数の発光モジュール２に共有されるので、配線をさらに減らすことができる。しかも、発光モジュール２への電力供給が略無い消光期間Ｔ２に、制御信号が供給電力に重畳されるので、発光モジュール２は制御信号を読み取り易く、従って、確実な信号通信に寄与する。
【００３３】
また、必要な電力線３の数は発光モジュール２の列数と行数の合計で済むので、例えば、従来のように発光モジュールに電力線をスター型に配線したことにより電力線の数が発光モジュールの２倍となる場合と比べ、電力線３の数を減らすことができ、製造コストの低減を図ることができる。また、電力線３の数が少なくて済むので、配線の自由度が高まる。
【００３４】
また、発光モジュール２に個体識別のためのＩＤを付与する必要がなく、ＩＤを記憶するメモリを発光モジュール２に持たせる必要がないので、製造コストの低減を図ることができる。
【００３５】
（第２の実施形態）
本発明の第２の実施形態に係る発光モジュール装置について説明する。この発光モジュール装置の構成は上記第１の実施形態と同じであるので、図１を流用して説明する。本実施形態においては、信号生成部４３による発光モジュール２への通信制御方法が、上記第１の実施形態と異なる。
【００３６】
図４は、本実施形態における信号生成部４３により開閉制御される列スイッチ３１ａ〜３１ｄ及び行スイッチ３２ａ〜３２ｄのスイッチング動作を示す。同図においては、発光モジュール２Ａ（上記図３（ａ）参照）のみを制御信号の送信対象としている。この開閉制御には、上記第１の実施形態の消光期間Ｔ２の替わりとして、送信すべき制御信号が有るときには供給電力に制御信号を重畳すると共に、発光モジュールを発光させる通信期間Ｔ３が有る。
【００３７】
通信期間Ｔ３において、発光モジュール２Ａを除く発光モジュール２については、送信すべき制御信号がないので、それらの列スイッチ３１ｂ〜３１ｄ及び行スイッチ３２ｂ〜３２ｄは閉状態を維持し、電力供給が継続され、発光状態が続く。
【００３８】
発光モジュール２Ａについては、その列スイッチ３１ａと行スイッチ３２ａの一方が閉状態から開状態となって、電力供給を所定時間だけ停止させ、その後、閉状態に戻り、この供給電力変化が通信のスタートトリガ信号となる。その後、他方が、通信期間Ｔ３内に制御信号に応じて開閉し、これにより、発光モジュール２Ａへの電力供給が停止、再開し、供給電力に制御信号が重畳される。
【００３９】
発光モジュール２Ａを含む各発光モジュール２の電流制御部２２は、電力供給が遮断され、所定時間経過後に再開すると、スタートトリガ信号を受信したとみなす。そして、電流制御部２２は、スタートトリガ信号の受信後、通信期間Ｔ３内に供給停止と供給再開とを検知したとき、それらを制御信号と認識し、それらを検知しなかったとき、受信したスタートトリガ信号を消去する。スタートトリガ信号における電力供給停止期間は、その停止後の電流制御部２２の動作期間よりも短く設定されている。
【００４０】
本実施形態においては、上記第１の実施形態と比べ、発光モジュール２が消光する期間を減らすことができ、通信による発光量低下を抑えることができる。
【００４１】
（第２の実施形態の一変形例）
上記第２の実施形態の一変形例に係る発光モジュール装置について説明する。この発光モジュール装置の構成は上記第１の実施形態と同じであるので、図１及び図２を流用して説明する。本変形例においては、発光モジュール２の電流制御部２２は、電力供給停止後の動作時間を延長するためのコンデンサを備えておらず、電力供給が所定期間以上停止されると、設定がリセットされる構成を有する。
【００４２】
図５は、本変形例における信号生成部４３により開閉制御される列スイッチ３１ａ〜３１ｄ及び行スイッチ３２ａ〜３２ｄのスイッチング動作を示す。同図においては、発光モジュール２Ａ（上記図３（ａ）参照）のみを制御信号の送信対象としている。
【００４３】
発光モジュール２Ａに対しては、その列スイッチ３１ａと行スイッチ３２ａの一方が閉状態から開状態となり、開状態が所定時間Ｔ４だけ継続し、その間、電力供給が遮断され、その後、閉状態に戻り、電力供給が再開する。所定時間Ｔ４は、電力供給停止後の電流制御部２２の動作時間よりも長く設定されている。従って、所定期間Ｔ４の経過後、有機ＥＬパネル２１に対する電流制御部２２の設定はリセットされる。通信期間Ｔ３は、電流制御部２２の設定がリセットされ、電力供給が再開された後の所定期間である。
【００４４】
発光モジュール２Ａを含む各発光モジュール２の電流制御部２２は、設定がリセットされた後、通信期間Ｔ３内に供給遮断と供給再開とを検知したとき、それらを制御信号と認識し、その制御信号に基づいて動作する。電流制御部２２は、通信期間Ｔ３内に制御信号を検知しなかったとき、既定の動作を行い、又はメモリに格納したリセット前までの設定で有機ＥＬパネル２１を動作させる。
【００４５】
本変形例においては、発光モジュール２の電流制御部２２の設定リセットを通信のスタートトリガとみなすことができ、スタートトリガ検知のために発光モジュール２への供給電力変化を検知する必要がないので、その検知回路を搭載しなくて済み、結果として、構成が簡単なものとなる。また、発光モジュール２の設定をリセットしてから、再設定することができるので、設定を確実なものとすることができる。
【００４６】
なお、本発明は、上記の各種実施形態及び変形例の構成に限定されるものでなく、使用目的に応じ、様々な変形が可能である。例えば、発光モジュール２はアレイ状に配列されていてもよい。また、発光モジュール２の発光体は、発光モジュール、白熱電球又は蛍光灯でもよく、信号通信により動作を制御可能な発光体であればよい。また、制御信号は、ＵＡＲＴ（Universal  Asynchronous  Receiver  Transmitter）等の非同期式シリアル通信回路により生成されたデジタル伝送データであっても、アナログ値であっても構わない。また、スイッチ３１、３２は制御回路４１に搭載されていてもよい。また、プラス線３３が行電力線であり、マイナス線３４が列電力線であってもよい。また、電力調整回路４２が設けられず、発光モジュール２又は制御回路４１は外部電源から直接に給電されていてもよい。
【符号の説明】
【００４７】
１  発光モジュール装置
２  発光モジュール
３  電力線
３１、３２  スイッチ
３１ａ〜３１ｄ  列スイッチ
３２ａ〜３２ｄ  行スイッチ
３３ａ〜３３ｄ  列電力線
３４ａ〜３４ｄ  行電力線
４３  信号生成部
【図１】
2011071310.tif 000003
【図２】
2011071310.tif 000004
【図３】
2011071310.tif 000005
【図４】
2011071310.tif 000006
【図５】
2011071310.tif 000007
【図６】
2011071310.tif 000008
【図７】
2011071310.tif 000009